(57)【要約】【課題】  組み立て時の手間を少なくすると共に、箱本体上部の開口を再び天面で閉じることを可能にした改ざん防止用の包装箱を提供する。【解決手段】  箱本体１０の上部開口１１を塞ぐ天面２１と、天面２１の先端に備えられた差込フラップ２２と、左右の内フラップ２４，２５と、差込フラップ２２の先端に破断線１２で備えられた破断フラップ２３を有し、当該破断フラップ２３が開口内側にＶ字状に折り畳まれた状態で差込フラップ２２が前記左右の内フラップ２４，２５の前縁近傍位置において差し込まれる包装箱１において、破断フラップ２３の形状や大きさを、開封時において、破断フラップ２３の上向きの動きが左右の内フラップ２４,２５によって抑えられると共にＶ字状に折り畳まれた破断フラップ２３の開く動きが包装箱１に収納された物品３０によって妨げられる形状・大きさとする。【選択図】図１
2010184713.tif 000002
【特許請求の範囲】
【請求項１】
箱本体の開口を塞ぐ天面と、当該天面の先端に備えられた差込フラップと、天面が備えられた開口縁に隣接する左右開口縁の少なくとも一方の開口縁に備えられた内フラップを有する包装箱であって、
前記差込フラップと部分的に接続され、残る部分において前記差込フラップと切り離された状態にて前記差込フラップの先端に切り離し可能に設けられた破断フラップを備えたことを特徴とする包装箱。
【請求項２】
箱本体の開口を塞ぐ天面と、当該天面の先端に備えられた差込フラップと、天面が備えられた開口縁に隣接する左右開口縁の少なくとも一方の開口縁に備えられた内フラップと、前記差込フラップと部分的に接続され、残る部分において前記差込フラップと切り離された状態にて前記差込フラップの先端に切り離し可能に設けられた破断フラップを有し、当該破断フラップが前記差込フラップに対して開口内側にＶ字状に折り畳まれた状態で前記内フラップの前縁近傍位置において差し込まれる包装箱であって、
前記破断フラップは、開封時において、前記破断フラップの上向きの動きが前記内フラップによって抑えられると共にＶ字状に折り畳まれた前記破断フラップが開く動作が包装箱に収納された物品によって妨げられる形状・大きさを有することを特徴とする包装箱。
【請求項３】
前記破断フラップは破断線を介して前記差込フラップに接続されたことを特徴とする請求項１又は２に記載の包装箱。
【請求項４】
前記破断フラップは、前記破断線の両端から幅方向外側において、差込フラップと切断されていることを特徴とする請求項３に記載の包装箱。
【請求項５】
前記破断フラップは当該破断フラップの左右端近傍においてのみ前記差込フラップに接続されたことを特徴とする請求項１〜３の何れか１項に記載の包装箱。
【請求項６】
前記破断フラップが内フラップの開口縁への取り付け位置の近くに位置するように設けられたことを特徴とする請求項１〜５の何れか１項に記載の包装箱。
【請求項７】
天面が備えられた開口縁に隣接する左右の開口縁に、前縁の一部が重なるように内フラップが備えられたことを特徴とする請求項１〜６の何れか１項に記載の包装箱。
【発明の詳細な説明】
【技術分野】
【０００１】
本発明は、包装箱、より具体的に言うと、購入時に開封したことが一見して判別することができ、しかも差込フラップによって再度封ができる包装箱に関する。
【背景技術】
【０００２】
近年、商品売り場等において、異物を混入し、あたかも未開封のように見せかけるという事態が生じている。これを防ぐため、種々の改ざん防止用包装箱が提案されている。
【０００３】
例えば、特開２００３−１３７２７７号公報（特許文献１）には、左右の内フラップが切断可能に箱本体上部の開口に備えられ、両内フラップが天面裏面に接着された構造の包装箱が開示されている。この包装箱では、天面を開くと左右の内フラップが切断される。
【０００４】
特開２００３−３２７２４２号公報（特許文献２）には、天面と差込フラップを仕切る折り目線上に切れ目が備えられるとともに、箱本体正面に破断線が設けられ、この破断線で囲まれた部分から上方に延設した差し込み片が設けられた包装箱が開示されている。この包装箱では、天面と差込フラップを仕切る折り目線上の切れ目に差み込み片が挿入されるので、天面を開く際に破断線が破られる。
【０００５】
特開２００４−２６９０３１号公報（特許文献３）には、差込フラップが天面に切断可能に備えられるとともに、天面と差込フラップの接続部分に切れ目が設けられ、左右の内フラップの一方に当該切れ目に差し込み可能な突起が設けられた包装箱が開示されている。この包装箱では、内フラップの突起が切れ目に挿入されているので、天面を開く際に差込フラップが切り取られる。
【０００６】
特開２００３−１３７２７４号公報（特許文献４）には、箱本体上部の開口を閉じる天面と、当該天面の裏面と糊付けされる外受けフラップを有し、天面に切断予定部が備えられた包装箱が開示されている。この包装箱では、切断予定部を切断して開封する。
【０００７】
特開２００３−１６５５２９号公報（特許文献５）には、天面と差込フラップを仕切る折り目線上の両端近傍及びその中央に切り目が設けられ、左右の内フラップに前記両端の切れ目に挿入される突起が備えられるとともに、前記折り目線の中央切れ目に挿入される差込片が箱本体の開口に延設された包装箱が開示されている。
【０００８】
この包装箱では、左右内フラップに設けられた突起が切れ目に挿入されるので蓋がしっかりと固定され、開封時には差込片が損傷されるか、箱がくずれ、改ざんが容易に判別される。
【先行技術文献】
【特許文献】
【０００９】
【特許文献１】特開２００３−１３７２７７号公報
【特許文献２】特開２００３−３２７２４２号公報
【特許文献３】特開２００４−２６９０３１号公報
【特許文献４】特開２００３−１３７２７４号公報
【特許文献５】特開２００３−１６５５２９号公報
【発明の概要】
【発明が解決しようとする課題】
【００１０】
しかしながら、特許文献１の包装箱では天面と内フラップを、特許文献４の包装箱では天面と外受けフラップをそれぞれ糊付けする必要があり、組み立てが面倒である。
【００１１】
一方、特許文献２や特許文献３、特許文献５の包装箱ではそれぞれ切れ目に差込片を挿入する必要があり、やはり組み立てに手間を要するという問題点があった。
【００１２】
そして、これらの包装箱では、開封された後には包装箱が破壊されたり、差込フラップが切断されているので、箱本体上部の開口を再び天面で閉じることができないという問題点があった。
【００１３】
本発明は上記の背景技術に鑑みてなされたものであって、本発明の目的は組み立て時の手間を少なくすると共に、箱本体上部の開口を再び天面で閉じることを可能にした改ざん防止用の包装箱を提供することにある。
【課題を解決するための手段】
【００１４】
そこで、本発明では、差込フラップの先端に、それと部分的に接続された状態で切り離し可能に差込フラップに備えられた切断フラップを備え、差込フラップに対して切断フラップを箱本体の開口内側にＶ字状に折り畳まれた状態で差込むようにしている。
【００１５】
この包装箱では、開封時には、差込フラップに対してＶ字状に折り畳まれた切断フラップはＶ字状に折り畳まれた状態で上に移動しようとするが、この動きは内フラップによって抑えられる。また、差込フラップが上に移動するにつれてＶ字状に折り畳まれた破断フラップが開こうとするが、包装箱に収納された物品によってその動きが妨げられる。その結果、差込フラップと切断フラップの接続部分には、差込フラップから上向きの力が加わると共に破断フラップから半ば下向きの力が加わるので、その接続部分が切断される。
【００１６】
従って、本発明の包装箱においては、切断フラップが適切に切断されるかどうかは、物品と包装箱との関係、例えば物品と箱本体内側との距離、差込フラップの大きさや内フラップの大きさなどにも影響されるものであり、これらの作用が発揮されるように、破断フラップの大きさや形状が定められる。
【発明の効果】
【００１７】
本発明の包装箱では、組み立て時に糊付けしたり、差込片を切れ目に挿入したりすることなく、簡単に組み立てられる。また、開封時には天面を開封すれば、破断フラップが切除され、開封されたことがすぐにわかる。そして、開封後にも差込フラップが備わっているので、再封することができる。
【図面の簡単な説明】
【００１８】
【図１】図１は本発明の包装箱の斜視図である。
【図２】図２はその展開図である。
【図３】図３は封をした状態を示す断面図である。
【図４】図４は開封する様子を示す説明図である。
【図５】図５は本発明の別の実施形態に係る包装箱を一部破断した展開図である。
【図６】図６は本発明のさらに別な実施形態に係る包装箱を一部破断した展開図である。
【図７】図７は本発明のさらに別な実施形態に係る包装箱を一部破断した展開図である。
【図８】図８は本発明のさらに別な実施形態に係る包装箱を一部破断した展開図である。
【図９】図９は本発明のさらに別な実施形態に係る包装箱の斜視図である。
【図１０】図１０は図９の包装箱の展開図である。
【発明を実施するための形態】
【００１９】
本発明の包装箱は、天面の先端縁と箱本体の正面内面との間に差込フラップを挿入するタイプの包装箱において、差込フラップの先端にそれと切り離し可能に開口内側にＶ字状に折り畳まれる破断フラップを備え、開封時に天面を持ち上げることによって破断フラップが切断除去されるようにした包装箱である。この包装箱においては、開封動作により天面が持ち上げられると、破断フラップは差込フラップに対してＶ字状に折り畳まれた状態で持ち上げられるが、破断フラップが持ち上がる動きは内フラップによって妨げられる。一方、Ｖ字状に折り畳まれた破断フラップが開こうとする動きは収納された物品によって妨げられる。本発明の包装箱は、このような作用が発揮されるように、破断フラップの大きさや形状が定められる。以下、本発明について図面を参照しながら詳細に説明する。
【実施例１】
【００２０】
図１は本発明の一実施形態である包装箱１の斜視図、図２は当該包装箱１の展開図である。展開図には図面の裏面側に山折りされる山折り線が一点鎖線で示される。この包装箱１は、箱本体１０と、箱本体１０の上部の開口１１の蓋となる天面２１と、天面２１が備えられた開口縁に隣接する左右の開口縁に備えられた左右の内フラップ（左内フラップ２４及び右内フラップ２５）と、箱本体１０の下部開口の蓋となる４つの底フラップ２７を有している。箱本体１０は、連続する４つの側面２６と一つののりしろ片２８とから作製される。包装箱１は打ち抜き加工等によって展開図に示す状態で作製された一枚の紙状片２０から組み立てられる。この紙状片２０は、可撓性を有する紙やプラスチックシートから作製される。なお、以下においては、組み立て時において差込フラップの正面が見える面を前面、前面側に位置する方を前方、前面に対して左右の方向を幅方向、この幅方向に対して垂直な方向（前後方向、鉛直方向を問わず）を長さ方向として説明する。また、各フラップについては、箱本体との折り目線から遠位にある縁を先端縁として説明する。
【００２１】
天面２１は、組み立て時に背面に位置する側面２６の上縁（開口１１の背面側にある開口縁）に備えられ、折り目線１４で山折りされる。天面２１の先端には差込フラップ２２が備えられ、折り目線１３で山折りされる。差込フラップ２２は、箱本体１０の上部開口１１の内幅とほぼ同じ幅を有する。図示された差込フラップ２２は先端のコーナーが円弧状に加工され、先端縁の幅長さが天面２１との折り目線１３の長さよりも短くなるように作製されている。
【００２２】
差込フラップ２２の先端には、差込フラップ２２と切り離し可能に破断フラップ２３が備えられている。この破断フラップ２３は差込フラップ２２と部分的に接続され他の部分は切り離された状態で差込フラップ２２に備えられている。図１に示す包装箱１ではミシン線のような破断線１２を介して破断フラップ２３が備えられている。破断フラップ２３は、開封時に破断線１２において切除され、開封したことが判る目印となる。破断フラップ２３は包装箱１の組み立て時に破断線１２において山折りされ、箱本体の開口内側に差込フラップ２２に対してＶ字状に折り畳まれた状態で箱本体１０に差し込まれる。図示する破断フラップ２３は山折りされた際に差込フラップ２２先端のコーナーと重なるように、破断フラップ２３の後端のコーナーが円弧状に加工されている。
【００２３】
破断フラップ２３が設けられる位置は、破断フラップ２３を切断する力ができる限り大きくなる位置が好ましい。この位置は、収納された物品３０との関係、例えば、物品３０の形状、キャップ３１の形状、箱本体１０の内面との距離、さらに内フラップ２４，２５の大きさなどによっても異なる。実施例１に示された包装箱１では、その先端縁（Ｖ字状に折り畳まれた状態ではその上縁）２３ａはほぼ箱本体１０の幅とほぼ同じ幅に作製されている。
【００２４】
本発明の包装箱１では、内フラップ２４及び内フラップ２５から破断フラップ２３が受ける力と、物品３０と接触することによって物品３０から受ける力によって破断フラップ２３が差込フラップ２２から切り離される。内フラップ２４，２５から受ける力を大きくするには、内フラップ２４，２５の開口縁への取付位置に近い位置、つまり、左内フラップ２４の折り目線１５の近傍又は右内フラップ２５の折り目線１６の近傍に破断フラップ２３を設けることが好ましい。
【００２５】
一方、物品３０から力を受けるために、破断フラップ２３は少なくとも物品３０と接触することが必要である。物品３０から大きな力を受けるためには物品３０と接触する領域が広いほど好ましく、また、確実に物品３０と接触することが望まれる。ところで、化粧品用の包装箱１では、円柱状のキャップ（平面視した際にいわゆる頭が円形をしたキャップ）と円筒状の本体からなる物品３０が収納されることが多い。図３には、収納される物品として化粧品を代表し、頭が円形をしたキャップ３１と円筒状の本体３２とからなる物品３０が納められた状態が示されている。物品３０と切断フラップ２３が接触する位置は、物品３０が箱本体１０の内面に最も近づく位置、すなわち、箱本体１０の幅方向中央近傍である。従って、破断フラップ２３は箱本体１０の幅方向中央近傍に備えられている。そして、図示されたように、箱本体１０の内法幅と、少なくとも破断フラップ２３の先端縁２３ａにおける幅をほぼ同じ幅にしておくと、破断フラップ２３の左右端には左内フラップ２４及び右内フラップ２５の双方から力が加わり、また、破断フラップ２３の中央において、物品３０のキャップ３１の頭（場合によっては本体３２のショルダーや本体３２側面）から力が確実に掛かることになるので、破断フラップ２３の形状として好ましい形状、大きさと言える。
【００２６】
破断線１２は開封時に切断されることが必要である。開封時に破断フラップ２３が確実に切除されるためには、破断線１２の長さ、すなわち、差込フラップ２２と破断フラップ２３との接続域はできる限り短いことが望まれる。しかしながら、短すぎると、組み立て時や封をする際に切り離される可能性が高くなるので、破断線１２における強度等を考慮しながら適宜決定される。従って、例えば図示するように差込フラップ２２先端のコーナー又は破断フラップ２３の後端のコーナーあるいはその双方を円弧状に切除加工すれば、破断線１２の長さを短くできる。
【００２７】
破断線１２はＶ字状に折り畳まれた破断フラップ２３が展開された状態に戻ろうとする力、つまり破断フラップ２３が開こうとする力を失わないことが必要である。そうでなければ、差込フラップ２２を差し込んだ場合に破断フラップ２３が物品３０と接触しなくなる。その結果、物品３０による力が破断フラップ２３に加わらず、破断線１２が切断されないことが考えられるからである。このような観点から、紙状片２０は適度な可撓性を有するのが好ましく、山折りも完全に山折りされたものではなく、十分すぎない程度に山折りすることが望まれる。
【００２８】
左内フラップ２４と右内フラップ２５はそれぞれ開口縁への取り付け部位である折り目線１５，１６にて山折りされる。左内フラップ２４と右内フラップ２５はほぼ同じ大きさを有し、左内フラップ２４の先端縁２４ａの長さが折り目線１５の長さに比べて短く、また右内フラップ２５の先端縁２５ａの長さが折り目線１６の長さに比べて短くなった略台形状に作製されている。このとき、その前縁における幅は開口１１の幅よりもわずかに短く、各内フラップ２４，２５の前縁において幅方向のほぼ全域において重なっている。左右の内フラップ２４，２５の前縁は箱本体１１の前方開口縁の近傍に位置し、左右の内フラップ２４，２５の前縁と箱本体１１の前方開口縁との間に前記差込フラップ２２とＶ字状に折り畳まれた破断フラップ２３の双方が差し込まれる。
【００２９】
本発明の包装箱１においては、物品３０の収納時において開口内側にＶ字状に折り畳まれた破断フラップ２３がわずかに開き、破断フラップ２３の先端縁２３ａが内フラップ２４，２５の裏面下方に位置する。開封時、天面２１が持ち上げられるにつれて折り畳まれた破断フラップ２３も持ち上げられるが、この上方への移動とこの移動に伴って生じる破断フラップ２３が開こうとする動きを、包装箱１の中に収納された物品と左右の内フラップ２４，２５が妨げることを利用する。すなわち、図４に示すように、例えば同図（ａ）に示された頭が円形をしたキャップ３１を有するほぼ円筒状の物品３０が包装箱１に収納された状態では、上記したように破断フラップ２３の先端２３ａは内フラップ２４，２５の下面に位置し、破断フラップ２３はキャップ３１に接触した状態で差込フラップ２２に対してＶ字状に開いた状態で保持される。この包装箱１を開封しようとして、天面２１を持ち上げると、差込フラップ２２が上方向に移動して、それとともに破断フラップ２３はＶ字状をしたままで上方向に移動する。しかしながら、破断フラップ２３の先端縁２３ａには内フラップ２４，２５が位置するので、破断フラップ２３の先端縁２３ａが内フラップ２４,２５に突き当たり、破断フラップ２３はそれ以上上方に移動できない。一方、破断フラップ２３は上方向に移動するについて、差込フラップ２２となす角度が大きくなる方向に破断フラップ２３が開こうとするが、破断フラップ２３は物品３０と接触しているために大きく開くことができず、この動きも制約される。そして、さらに天面２１が持ち上げられると、前記制限のために、破断線１２には差込フラップ２２から上方に引き上げられる力が加わると共に、破断線１２には破断フラップ２３からいわば下方に向かう力が加わる。その結果、破断線１２が破られ、破断フラップ２３のみが切断される（同図（ｃ））。そして、差込フラップ２２は、内フラップ２４，２５の前縁と開口１１の前方開口縁との間から上方に抜け、封が開かれる（同図（ｄ））。
【００３０】
なお、本発明においては、上記の如く破断フラップ２３の開く動きが物品３０によって妨げられると考えられるが、物品３０が破断フラップ２３の開く動きを妨げる作用とは、差込フラップ２２に対して破断フラップ２３が、箱本体１０の開口１１に差し込まれた際のＶ字状をそのまま維持するという意味ではなく、自由に開くことができないという意味で用いられる。すなわち、物品３０が収納されていない状態では、破断フラップ２３が物品３０による制約を受けることがないので、大きく開いてしまい、破断フラップ２３が切断されずに開封される。本発明は、このように破断フラップ２３が差込フラップ２２に対して大きく開くことがないように収納された物品３０を利用し、破断フラップ２３に対していわば下向き力を生じさせる。
【００３１】
本発明の包装箱１は上記のような作用によって破断フラップ２３のみが破断される。従って、このような作用が発揮されるように、破断フラップ２３の形状や破断フラップ２３の長さＬ２、差込フラップ２２の長さＬ１は、包装箱１に収納される物品３０（本体やキャップ３１）の大きさや形状等によって適宜設計される。特にＶ字状に折り畳まれた破断フラップ２３が物品３０に接触してその動きが制約される必要があるので、差し込まれた際には物品３０と接触する長さＬ２が必要となる。
【００３２】
物品３０と内フラップ２４，２５の下面との間が大きく開きすぎると、破断フラップ２３が開く動きが抑えられない場合も考えられる。物品３０と内フラップ２４，２５との間に破断フラップ２３が入り込み、破断フラップ２３が内フラップ２４，２５と平行になってしまうために、破断フラップ２３に力が掛からなくなるからである。従って、本発明においては、物品３０と内フラップ２４，２５下面との間が大きく開きすぎないことも必要である。もっとも、差込フラップ２２が持ち上げられる際に、破断フラップ２３が物品３０と内フラップ２４，２５下面との間に侵入し、破断フラップ２３が大きく開いたとしても、破断フラップ２３の動きが物品３０と内フラップ２４，２５下面との間で制約される結果、破断線１２に破断フラップ２３から半ば下向き力が加わり、破断線１２が切断される場合もある。本発明の包装箱１は、このような作用を果たすものであって差し支えない。
【００３３】
また、左右の内フラップ２４，２５はＶ字状に折り畳まれた破断フラップ２３が上方に移動するのを抑えなければならないので、右内フラップ２５の先端縁２５ａが左の側面２６と左内フラップ２４の折り目線１５から離れる（幅長さが短くなる）と当該機能を果たすことができないことがある。同様に、左内フラップ２４の先端縁２４ａが右の側面２６と右内フラップ２５の折り目線１６から離れると当該機能を果たすことができないこともある。また、差込フラップ２２を有する従来の包装箱と同様に、破断フラップ２３が除去された差込フラップ２２が浮き上がるのを防止する必要がある。このために、左内フラップ２４の先端を折り目線１６の近傍に、また右内フラップ２５の先端を折り目線１５の近傍に位置させ、両内フラップ２４，２５の重なり幅を大きくし、両内フラップ２４，２５の浮き上がりを少なくすることが好ましい。差込フラップ２２が持ち上げられる距離に対して、両内フラップ２４，２５が持ち上げられる距離が少ない方が、破断線１２を破断しようとする力が大きくなるからである。
【００３４】
一方、これらの機能を果たすことができれば、左右の内フラップ２４，２５が重ならないように内フラップ２４，２５の形状を定めてもよく、左内フラップ２４，右内フラップ２５の一方の内フラップのみを備えてもよい。しかしながら、この場合には、左右の内フラップ２４，２５がたやすく開く場合がある。この結果、Ｖ字状に折り畳まれた破断フラップ２３が容易に開いてしまい、破断フラップ２３が切り離されずに、内フラップ２４，２５の前縁と箱本体１１の前方開口縁との間から上方に抜けることが考えられる。実施例１の包装箱１では、左右の内フラップ２４，２５は左右対称の形状に作製されているので、左内フラップ２４と右内フラップ２５は、箱本体１０のほぼ中央位置において重なることになり、開封時における左右のバランスが取りやすくなっている。
【００３５】
この包装箱１においては、上記したように開封された後には、破断フラップ２３が切断されているので、一見して開封されたことがわかる。また、開封された後にも、天面２１の先端には天面２１に対して山折りされた差込フラップ２２が備わることになるので、再度封をすることができる。
【実施例２】
【００３６】
本発明の包装箱１は、上記したように、左右の内フラップ２４，２５と収納された物品３０がＶ字状に折り畳まれた破断フラップ２３が開く動きを妨げることによって破断フラップ２３が切断されればよく、差込フラップ２２の形状や破断フラップ２３の形状は問われるものでもない。
【００３７】
図５に示す差込フラップ２２は、天面２１の幅長さとほぼ幅長さを有する矩形状に作製されている。また、破断フラップ２３は差込フラップ２２の幅長さよりも短い幅長さを有する略矩形状に作製され、差込フラップ２２のほぼ中央位置に設けられた破断線１２を介して、差込フラップ２２の先端に備えられている。破断フラップ２３は図示されたような単純な矩形状でも差し支えなく、破断フラップ２３の開きが包装箱１に納められた物品３０によって抑えられる。
【実施例３】
【００３８】
図６に示す破断フラップ２３は平面視で略凹の字形状に作製され、その先端中央部分に矩形状の切欠き２３ｃを有し、先端両側に突出部２３ｂを有している。この破断フラップ２３の突出部２３ｂが内フラップ２４，２５に抑えられて破断フラップ２３の上向きの動きが抑えられる。また、破断フラップ２３の切欠き２３ｃの先端縁が収納された物品３０に接触して破断フラップ２３の開く動きが妨げられる。このような形状の破断フラップ２３でも差し支えない。上記と同様な作用により破断フラップ２３のみが切断される。
【００３９】
このように、破断フラップ２３は、内フラップ２４，２５の下面で上向きの動きが抑えられ、破断フラップ２３と収納された物品３０とが接触して破断フラップ２３が開く動きを抑えられるような形状を有していればよい。
【実施例４】
【００４０】
図７は本発明のさらに別な実施形態である包装箱１の一部を破断した展開図である。この包装箱１では、破断フラップ２３の左右端の近傍のみが破断線１２を介して差込フラップ２２と接続されている。このように、差込フラップ２２と破断フラップ２３を部分的に接続し、残る領域を切断線１８として破断フラップ２３を差込フラップ２２の先端に備えても差し支えない。この場合、破断線１２とする領域は、図７に示すように破断フラップ２３の左右端が好ましい。内フラップ２４，２５の折り目線１５，１６に近い方が、内フラップ２４，２５から受ける力が大きく、確実に切断されやすくなるからである。
【実施例５】
【００４１】
図８は本発明のさらに別な実施形態である包装箱１の一部を破断した展開図である。この包装箱１では、破断フラップ２３の両端部のみが差込フラップ２２に極めて短い実線で接続され、破断フラップ２３の中央には幅方向の切り込み１９が備えられている。このように、ミシン線のような破断線１２によることなく幅の狭い実線と幅の広い切断線との組み合わせにより破断フラップ２３を差込フラップ２２の先端に設け、両者を切り離し可能にしてもよい。また、図示はしないが、両者が切り離される限り、切り込み１９を備える必要はない。破断フラップ２３と差込フラップ２２をほとんどの部分を切断線１８として、ごく短い幅、例えば点に近い線となった部分を幅方向に数カ所設け、両者を接続してもよい。
【実施例６】
【００４２】
図９は本発明のさらに別な実施形態である包装箱１の斜視図、図１０はこの包装箱１の展開図である。この包装箱１においては、右フラップ２５のみが折り目線１６によって箱本体１０に備えられている。破断フラップ２３の幅は、差込フラップ２２に比べて短く作製されている。この破断フラップ２３は、当該右フラップ２５の取り付け部位である折り目線１６に近接して備えられている。この包装箱１においても、開封時に天面２１が持ち上げられると破断フラップ２３が上方に移動しようとするが、内フラップ２５によってその動きが抑えられる。また、破断フラップ２３が開こうとする動きは収納された物品によって妨げられる。平面視で矩形状をしたキャップを有する物品（図示せず）には、このような破断フラップ２３を備えた包装箱１でも差し支えない。
【００４３】
この実施例６の包装箱１のように、破断フラップ２３の先端縁２３ａに対して、内フラップ２５から大きな力が加わり、物品３０によって破断フラップ２３が開く動作が抑えられる構造であれば、左内フラップ２４又は右フラップ２５の何れか一枚の内フラップを備えることでも差し支えない。
【００４４】
なお、本発明は上記実施例に限定されるものではなく、種々の変形例が考えられるのは言うまでもない。例えば、上記実施例においては、箱本体１０の上部開口１１における差込フラップ２２に破断フラップ２３を設けた場合について説明を加えたが、箱本体の下部開口において差込フラップを設けた場合についても同様に適用できる。
【産業上の利用可能性】
【００４５】
本発明によると、差込フラップを備えた従来の一般的な包装箱と同じような組み立て方法によって、開封したことが一見して判る改ざん防止用の包装箱が提供される。特に、天面と内フラップを糊付けしたり、差込片を差し込むことなく組み立てることができる。また、一旦開封された後も差込フラップによって再封することができる。
【符号の説明】
【００４６】
１  包装箱
１０  箱本体
１１  箱本体上部の開口
１２  差込フラップと破断フラップを切断するため破断線
１３  天面と差込フラップの折り目線
１５  側面と左内フラップの折り目線
２１  天面
２２  差込フラップ
２３  破断フラップ
２３ａ  破断フラップの先端縁
２４  左内フラップ
２４ａ  左内フラップの先端縁
２５  右内フラップ
【図１】
2010184713.tif 000003
【図２】
2010184713.tif 000004
【図３】
2010184713.tif 000005
【図４】
2010184713.tif 000006
【図５】
2010184713.tif 000007
【図６】
2010184713.tif 000008
【図７】
2010184713.tif 000009
【図８】
2010184713.tif 000010
【図９】
2010184713.tif 000011
【図１０】
2010184713.tif 000012